(57)【要約】【課題】  一般的な割り型で成形でき、且つかしめ時に不用意に座屈することがない、分割を容易にできる鋲を提供する。【解決手段】  この鋲１０は、被締結物２００の孔２０２に挿入される軸部１２と、前記軸部１２の一端に形成された引っ掛かり用の頭部１４とを備え、前記頭部１４の少なくとも表面または裏面のいずれかに、該頭部１４を折って軸部１２から切り離すために、前記軸部１２の軸方向に見て軸部１２の外側であって、該頭部１４を折ったとき前記軸部１２を挿入する被締結物２００の孔２０２から該頭部１４が抜け出る位置において、溝１６が形成されている。【選択図】    図１
2005059403.tif 000002
【特許請求の範囲】
【請求項１】
被締結物の孔に挿入される軸部と、
前記軸部の一端に形成された引っ掛かり用の頭部とを備え、
前記頭部の少なくとも表面または裏面のいずれかに、該頭部を折って軸部から切り離すために、前記軸部の軸方向に見て軸部の外側であって、該頭部を折ったとき前記軸部を挿入する被締結物の孔から該頭部が抜け出る位置において、溝が形成された、
鋲。
【請求項２】
前記溝は、軸部の外周に沿って形成された、請求項１に記載の鋲。
【請求項３】
前記溝は、軸部の外周に沿って形成された溝とは交差する方向に形成された、請求項２に記載の鋲。
【発明の詳細な説明】
【技術分野】
【０００１】
この発明は、鋲に関し、特にたとえば、ファイル表紙に綴じ具を取り付ける鋲であって、その使用後ファイル表紙から綴じ具を取り外すことができるようにした鋲に関する。
【背景技術】
【０００２】
従来、異種部材からなる複数の被締結部材のリベットによる結合を容易に解除することができ、分離された部材をそれぞれ資源として回収し、リサイクル用品としての再生を可能とするリベットとして、特開２０００−３５２４０７に開示されたものがある。
【特許文献１】特開２０００−３５２４０７
【発明の開示】
【発明が解決しようとする課題】
【０００３】
この従来のリベットは、脚部の一端に頭部が形成され、脚部の外周面には円状の周方向溝が形成されているが、脚部の外周面に形成された円状の周方向溝を形成するために、金型が複雑となる。通常、たとえば、頭部と軸部の上下割り、すなわち、脚部の軸方向の上と下に分ける縦割り構造の金型をもって製造されるが、この従来のリベットは、脚部の外周面に円状の周方向溝が形成されているので、該溝を成形するために金型をさらに横割り構造としなければならず、その構造が複雑となり、製造コストが上昇する要因となるとともに、該リベットをかしめるとき、軸部の外周面に円状の周方向溝が形成されているので、被締結物を締結するために脚部の先端を潰して新たな頭を成形するとき、座屈しやすく、かしめが初期の目的どおり行うことができないという問題がある。
【０００４】
それゆえに、この発明の主たる目的は、一般的な割り型で成形でき、且つかしめ時に不用意に座屈することがない、分割を容易にできる鋲を提供することである。
【課題を解決するための手段】
【０００５】
この発明の請求項１にかかる鋲は、被締結物の孔に挿入される軸部と、前記軸部の一端に形成された引っ掛かり用の頭部とを備え、前記頭部の少なくとも表面または裏面のいずれかに、該頭部を折って軸部から切り離すために、前記軸部の軸方向に見て軸部の外側であって、該頭部を折ったとき前記軸部を挿入する被締結物の孔から該頭部が抜け出る位置において、溝が形成された、鋲である。
【０００６】
この発明の請求項２にかかる鋲は、前記溝は、軸部の外周に沿って形成された、請求項１に記載の鋲である。
【０００７】
この発明の請求項３にかかる鋲は、前記溝は、軸部の外周に沿って形成された溝とは交差する方向に形成された、請求項２に記載の鋲である。
【発明の効果】
【０００８】
この発明の請求項１によれば、被締結物の孔に挿入される軸部と、前記軸部の一端に形成された引っ掛かり用の頭部とを備え、前記頭部の少なくとも表面または裏面のいずれかに、該頭部を切り離すために、前記軸部の軸方向に見て軸部の外側であって、該頭部を折ったとき、前記軸部を挿入する被締結物の孔から該頭部が抜け出る位置において溝が形成されているので、溝部位において頭部が割れて、他の頭部の領域と分離され、且つ全ての頭部を切り離すことによって、軸部の外周縁の外側に頭部をなくし、軸部を挿入された被締結物の孔より抜くことができる。
【０００９】
この発明の請求項２によれば、溝が軸部の外周に沿って形成されているので、該溝部位において頭部を切り離すことができ、軸部の外側にあった頭部を軸部より切り離すことができる。
【００１０】
この発明の請求項３によれば、溝が軸部の外周に沿って形成された溝とは交差する方向に形成されているので、頭部を溝によって切り離し、溝によって区画された頭部の各領域を順次溝をもって切り離すことによって、軸部の外周縁に沿って形成されていた頭部を除去することができる。
【００１１】
この発明の上述の目的、その他の目的、特徴および利点は、図面を参照して行う以下の発明を実施するための最良の形態の説明から一層明らかとなろう。
【発明を実施するための最良の形態】
【００１２】
図１は、この発明の一実施の形態である鋲の斜視図解図であり、図２は、図１図示鋲の背面斜視図解図である。図３は、図１図示鋲の平面図であり、図４は、図１図示鋲の底面図である。図５は、図３Ａ−Ａ断面図である。図６および図７は、図１図示鋲の利用方法を示す図であり、図６は、鋲をファイル表紙に綴じ具を取り付けるために用いた状態を示す断面図解図であり、図７は、その斜視図解図である。図８は、ファイル表紙から綴じ具を分離する方法を示す断面図解図である。
【００１３】
この鋲１０は、被締結物２００の固定孔２０２に挿入される軸部１２と、前記軸部１２の一端に形成された引っ掛かり用の頭部１４とを備え、前記頭部１４の少なくとも表面または裏面のいずれかに、該頭部１４を折って軸部１２より切り離すために、前記軸部１２の軸方向に見て軸部１２の外側であって、該頭部１４を折ったとき前記軸部１２を挿入する固定孔２０２から該頭部１４が抜け出る位置において、溝１６が形成されている。
【００１４】
この鋲１０は、ファイル表紙２０４とリング綴じ具２０６等のような被締結物２００を締結するものであり、軸部１２は、被締結物２００たるリング綴じ具２０６の固定孔２０２に挿入され、引っ掛かり用の頭部１４は、前記軸部１２の一端に形成された被締結物２００の固定孔２０２の周縁に引っ掛かるために形成され、該軸部１２と引っ掛かり用の頭部１４とはポリカーボネート等の熱可塑性樹脂をもって一体成形されてなる。
【００１５】
軸部１２は、引っ掛かり用の頭部１４の略中央より突設された円柱状で、その外周面は、引っ掛かり用の頭部１４より先端（下端）に向かうに従ってその径が短くなるテーパー状の中空円筒状である。
【００１６】
引っ掛かり用の頭部１４は、前記軸部１２と同心円で軸部１２より大径の円盤状で、周縁部において若干その厚みが漸減するように構成され、引っ掛かり用の頭部１４の平面部２０には、前記軸部１２の外周縁に沿って、平面円形状の第１割り溝２２が連続して凹設されている。引っ掛かり用の頭部１４は、軸部１２の略２倍の直径を有し、その厚さは、その直径の略５分の１である。
【００１７】
引っ掛かり用の頭部１４の外周縁の厚さは、より薄い方が良い。ファイル表紙２０４の外側に引っ掛かり用の頭部１４が出る場合、被締結物２００を収容する棚から出し入れするとき、引っ掛かり用の頭部１４が隣接するものに引っ掛からないようにするためには、より薄くする方が良い。
【００１８】
引っ掛かり用の頭部１４の底面部２４には、前記第１割り溝２２に対応した位置、すなわち、軸部１２を軸方向に見て軸部１２の外側の外周縁に沿って適宜な間隔（第１割り溝２２の幅の略３倍）をあけて４本の平面円弧状の第２割り溝２６が凹設されている。
【００１９】
さらに、引っ掛かり用の頭部１４の底面部２４は、前記第２割り溝２６の間（隣接する第２割り溝２６の間でその略中央）において、引っ掛かり用の頭部１４の外周縁に向けて放射状に、直線状の第３割り溝２８が凹設されている。
【００２０】
第１割り溝２２と第２割り溝２６と第３割り溝２８とは、その一端から他端にわたって略同一幅の断面円弧状の溝をもって構成されている。第１割り溝２２の幅は、引っ掛かり用の頭部１４の直径の略２分の１であり、第１割り溝２２の深さは、引っ掛かり用の頭部１４の厚さの略４分の１であり、第２割り溝２６及び第３割り溝２８の幅及び深さも略同様である。
【００２１】
第２割り溝２６の直線状両端縁と引っ掛かり用の頭部１４の中心とを結ぶ線による弧Ｒ1の中心角は６０°であり、隣接する第２割り溝２６の直線状両端縁と引っ掛かり用の頭部１４の中心とを結ぶ線による弧Ｒ2の中心角は３０°である（図４参照）。
【００２２】
引っ掛かり用の頭部１４は、軸部１２を軸方向に見て軸部１２の外周縁より外側において、第３割り溝２８によって区画され、第３割り溝２８によって区画された領域は、略扇形をなし、該領域の左右端縁は、第３割り溝２８によって薄肉状に形成されるとともに、第１割り溝２２と第２割り溝２６とが対向する部位は、第３割り溝２８部位より薄い、最も薄い薄肉状に形成されている。
【００２３】
軸部１２は、その内部に中空部３０が形成され、引っ掛かり用の頭部１４の底面部２４と略同じ高さ位置において、平面状頂壁部３２が形成され、該頂壁部３２より外周に向かうに従って下方（引っ掛かり用の頭部１４より先端に向かう方向）に傾斜する第１斜壁部３４が形成され、さらに、該第１斜壁部３４の下端より下方（引っ掛かり用の頭部１４より先端に向かう方向）に向かうに従って拡開する第２斜壁部３６が、軸部１２の高さの略半分の高さ位置まで形成され、前記第２斜壁部３６の下端より下方に向けて、上から下まで略同一径の垂直壁部３８が形成されている。
【００２４】
軸部１２は、頂壁部３２より第１斜壁部３４に至る領域において最も厚く（太く）形成され、第２斜壁部３６の領域において中間的な厚さ（太さ）に形成され、垂直壁部３８の領域で最も薄く（細く）形成されている。
【００２５】
この鋲１０によって、被締結物２００であるファイル表紙２０４とリング綴じ具２０６とを締結する場合、ファイル表紙２０４に穿設された固定孔２０２とリング綴じ具２０６に穿設された固定孔２０２を合わせ、該固定孔２０２に軸部１２を貫挿し、反対側の軸部１２の先端を常温（冷間）加工して軸部１２の先端部を潰しカールさせ、リング綴じ具２０６の固定孔２０２周辺に密着させて、引っ掛かり用の頭部１４と協働して被締結物２００を固定する。なお、反対側の軸部１２の先端を加熱溶融して軸部１２の先端部を潰しカールさせてもよい。
【００２６】
この鋲１０によって固定された被締結物２００を分離する場合、例えば、リング綴じ具２０６とファイル表紙２０４とを分離し破棄する場合、分離された部材を資源として回収し、リサイクル用品として再生するために、それぞれを破壊することなく分離する必要性がある。そのとき、ファイル表紙２０４とリング綴じ具２０６の間に、軸部１２を捩じ曲げる、例えばドライバー２２０の先端をこじ入れ、引っ掛かり用の頭部１４と被締結物２００より持ち上げるようにすると、第１割り溝２２と第２割り溝２６とが対向する引っ掛かり用の頭部１４の軸部１２近傍が最も薄肉状に形成されているため、引っ掛かり用の頭部１４がその部位で割れ、且つ第３割り溝２８部位においては、薄肉状のため、その部分で引っ掛かり用の頭部１４が割れて、被締結物２００の固定孔２０２より軸部１２を脱嵌することができ、被締結物２００を分離させることができる。
【００２７】
図９は、この発明の別の実施の形態である鋲の斜視図解図であり、図１０は、図９図示鋲の背面斜視図解図である。図１１は、図９図示鋲の平面図であり、図１２は、図９図示鋲の底面図である。図１３は、図１１Ａ−Ａ断面図である。図１４および図１５は、図９図示鋲の利用方法を示す図であり、図１５は、鋲をファイル表紙に綴じ具を取り付けるために用いた状態を示す断面図解図であり、図１６は、その斜視図解図である。図１７は、ファイル表紙から綴じ具を分離する方法を示す断面図解図である。
【００２８】
この鋲１１０は、被締結物２００の固定孔２０２に挿入される軸部１１２と、前記軸部１１２の一端に形成された引っ掛かり用の頭部１１４とを備え、前記頭部１１４の少なくとも表面または裏面のいずれかに、該頭部１１４を折って軸部１１２より切り離すために、前記軸部１１２の軸方向に見て軸部１１２の外側であって、該頭部１１４を折ったとき前記軸部１１２を挿入する固定孔２０２から該頭部１１４が抜け出る位置において、溝１１６が形成されている。
【００２９】
この鋲１１０は、ファイル表紙２０４とリング綴じ具２０６等のような被締結物２００を締結するものであり、軸部１１２は、被締結物２００たるリング綴じ具２０６の固定孔２０２に挿入され、引っ掛かり用の頭部１１４は、前記軸部１１２の一端に形成された被締結物２００の固定孔２０２の周縁に引っ掛かるために形成され、該軸部１１２と引っ掛かり用の頭部１１４とはポリカーボネート等の熱可塑性樹脂をもって一体成形されてなる。
【００３０】
軸部１１２は、引っ掛かり用の頭部１１４の略中央より突設された円柱状で、その外周面は、引っ掛かり用の頭部１１４より先端（下端）に向かうに従ってその径が短くなるテーパー状の中空円筒状である。
【００３１】
引っ掛かり用の頭部１１４は、前記軸部１１２と同心円で軸部１１２より大径の円盤状で、周縁部において若干その厚みが漸減するように構成され、引っ掛かり用の頭部１１４の平面部１２０には、前記軸部１１２の外周縁に沿って適宜な間隔（第１割り溝１２２の幅の略３倍）をあけて４本の平面円弧状の第１割り溝１２２が凹設されている。引っ掛かり用の頭部１１４は、軸部１１２の略２倍の直径を有し、その厚さは、その直径の略５分の１である。
【００３２】
引っ掛かり用の頭部１１４の外周縁の厚さは、より薄い方が良い。ファイル表紙２０４の外側に引っ掛かり用の頭部１１４が出る場合、被締結物２００を収容する棚から出し入れするとき、引っ掛かり用の頭部１１４が隣接するものに引っ掛からないようにするためには、より薄くする方が良い。
【００３３】
引っ掛かり用の頭部１１４の底面部１２４には、前記第１割り溝１２２に対応した位置、すなわち、軸部１１２を軸方向に見て軸部１１２の外側の外周縁に沿って適宜な間隔（第２割り溝１２６の幅の略３倍）をあけて４本の平面円弧状の第２割り溝１２６が凹設されている。
【００３４】
さらに、引っ掛かり用の頭部１１４の底面部１２４は、前記第２割り溝１２６の間（隣接する第２割り溝１２６の間でその略中央）において、引っ掛かり用の頭部１１４の外周縁に向けて放射状に、直線状の第３割り溝１２８が凹設されている。
【００３５】
第１割り溝１２２と第２割り溝１２６と第３割り溝１２８とは、その一端から他端にわたって略同一幅の断面円弧状の溝をもって構成されている。第１割り溝１２２の幅は、引っ掛かり用の頭部１１４の直径の略２０分の１であり、第１割り溝１２２の深さは、引っ掛かり用の頭部１１４の厚さの略４分の１であり、第２割り溝１２６及び第３割り溝１２８の幅及び深さも略同様である。
【００３６】
第２割り溝１２６の直線状両端縁と引っ掛かり用の頭部１１４の中心とを結ぶ線による弧Ｒ1の中心角は６０°であり、隣接する第２割り溝１２６の直線状端縁と引っ掛かり用の頭部１１４の中心とを結ぶ線による弧Ｒ2の中心角は３０°である。
【００３７】
また、第１割り溝１２２の直線状両端縁と引っ掛かり用の頭部１１４の中心とを結ぶ線による弧Ｒ3の中心角は６０°である（図１１及び図１２参照）。
【００３８】
引っ掛かり用の頭部１１４は、軸部１１２を軸方向に見て軸１１２の外周縁より外側において、第３割り溝１２８によって区画され、第３割り溝１２８によって区画された領域は、略扇形をなし、該領域の左右端縁は、第３割り溝１２８によって薄肉状に形成されるとともに、第１割り溝１２２と第２割り溝１２６とが対向する部位は、第３割り溝１２８部位より薄い、最も薄い薄肉状に形成されている。
【００３９】
軸部１１２は、その内部に中空部１３０が形成され、引っ掛かり用の頭部１１４の底面部１２４と略同じ高さ位置において、平面状頂壁部１３２が形成され、該頂壁部１３２より外周に向かうに従って下方（引っ掛かり用の頭部１１４より先端に向かう方向）に傾斜する第１斜壁部１３４が、軸部１１２の高さの略半分の高さ位置まで形成され、前記第１斜壁部１３４の下端より下方に向けて、上から下まで略同一径の垂直壁部１３８が形成されている。
【００４０】
軸部１１２は、頂壁部１３２より第１斜壁部１３４に至る領域において最も厚く形成され、垂直壁部１３８の領域で薄く形成されている。
【００４１】
この鋲１１０によって、被締結物２００であるファイル表紙２０４とリング綴じ具２０６とを締結する場合、ファイル表紙２０４に穿設された固定孔２０２とリング綴じ具２０６に穿設された固定孔２０２を合わせ、該固定孔２０２に軸部１１２を貫挿し、引っ掛かり用の頭部１１４と反対側の軸部１１２の先端を常温（冷間）加工して軸部１１２の先端部を潰し、リング綴じ具２０６の固定孔２０２周辺に密着させて、被締結物２００を固定する。なお、引っ掛かり用の頭部１１４と反対側の軸部１１２の先端を加熱溶融して軸部１１２の先端部を潰してもよい。
【００４２】
この鋲１１０によって固定された被締結物２００を分離する場合、例えば、リング綴じ具２０６とファイル表紙２０４とを分離し破棄する場合、分離された部材を資源として回収し、リサイクル用品として再生するために、それぞれを破壊することなく分離する必要性がある。そのとき、ファイル表紙２０４とリング綴じ具２０６の間に、軸部１１２を捩じ曲げる、例えば、ドライバー２２０の先端をこじ入れ、引っ掛かり用の頭部１１４と被締結物２００より持ち上げるようにすると、第１割り溝１２２と第２割り溝１２６とが対向する引っ掛かり用の頭部１１４の軸部１１２近傍が最も薄肉状に形成されているため、引っ掛かり用の頭部１１４がその部位で割れ、且つ第３割り溝１２８部位においては、薄肉状のため、その部分で引っ掛かり用の頭部１１４が割れ、被締結物２００を固定孔２０２より軸部１１２を脱嵌することができ、被締結物２００を分離させることができる。
【産業上の利用可能性】
【００４３】
この発明にかかる鋲は、ファイル表紙に綴じ具を取り付ける鋲であって、その使用後ファイル表紙から綴じ具を取り外すことができるようにした固定具という用途に適用できる。
【図面の簡単な説明】
【００４４】
【図１】この発明の一実施の形態である鋲の斜視図解図である。
【図２】図１図示鋲の背面斜視図解図である。
【図３】図１図示鋲の平面図である。
【図４】図１図示鋲の底面図である。
【図５】図３Ａ−Ａ断面図である。
【図６】図１図示鋲の利用方法を示す図であり、鋲をファイル表紙に綴じ具を取り付けるために用いた状態を示す断面図解図である。
【図７】図１図示鋲の利用方法を示す図であり、鋲をファイル表紙に綴じ具を取り付けるために用いた状態を示す斜視図解図である。
【図８】ファイル表紙から綴じ具を分離する方法を示す断面図解図である。
【図９】この発明の別の実施の形態である鋲の斜視図解図である。
【図１０】図９図示鋲の背面斜視図解図である。
【図１１】図９図示鋲の平面図である。
【図１２】図９図示鋲の底面図である。
【図１３】図１１Ａ−Ａ断面図である。
【図１４】図９図示鋲の利用方法を示す図であり、鋲をファイル表紙に綴じ具を取り付けるために用いた状態を示す断面図解図である。
【図１５】図９図示鋲の利用方法を示す図であり、鋲をファイル表紙に綴じ具を取り付けるために用いた状態を示す斜視図解図である。
【図１６】ファイル表紙から綴じ具を分離する方法を示す断面図解図である。
【符号の説明】
【００４５】
１０  １１０  鋲
１２  １１２  軸部
１４  １１４  引っ掛かり用の頭部
１６  １１６  溝
２０  １２０  平面部
２２  １２２  第１割り溝
２４  １２４  底面部
２６  １２６  第２割り溝
２８  １２８  第３割り溝
３０  １３０  中空部
３２  １３２  頂壁部
３４  １３４  第１斜壁部
３６  第２斜壁部
３８  １３８  垂直壁部
２２０  ドライバー
２００  被締結物
２０２  固定孔
２０４  ファイル表紙
２０６  リング綴じ具
【図１】
2005059403.tif 000003
【図２】
2005059403.tif 000004
【図３】
2005059403.tif 000005
【図４】
2005059403.tif 000006
【図５】
2005059403.tif 000007
【図６】
2005059403.tif 000008
【図７】
2005059403.tif 000009
【図８】
2005059403.tif 000010
【図９】
2005059403.tif 000011
【図１０】
2005059403.tif 000012
【図１１】
2005059403.tif 000013
【図１２】
2005059403.tif 000014
【図１３】
2005059403.tif 000015
【図１４】
2005059403.tif 000016
【図１５】
2005059403.tif 000017
【図１６】
2005059403.tif 000018